(57)【要約】      （修正有）【課題】歯科の根管治療の実習教材において使用される歯髄模型であって、歯冠の切削工程、歯髄からの出血洗浄工程、抜髄、根管長の測定までを一貫して実習訓練でき、根管治療の治療工程を連続的に実習が出来て自習時間の短縮を可能とする、比較的安価な歯髄模型を提供する。【解決手段】歯冠３に義歯用人工歯を利用して、歯髄部２は透明なエポキシ樹脂を使用することで歯冠と歯髄部の硬度差を再現しており、また歯髄部を円柱状としてゴム製の防水キャップを被せる防水構造とした上で、作業スタンド１に軽く圧入固定して使用する。歯髄模型内部に封入した模擬血液や作業スタンドの接合空間を人体と同程度の電気的特性を示す物質や生理食塩水などで満たし電気的な導通状態として、電気的根管長の測定までを可能とする。【選択図】図３
2014239846.tif 000002
【特許請求の範囲】
【請求項１】
本発明は、歯科の実習教材において使用される歯髄模型であり、歯冠の切削工程、抜髄、電気的根管長測定までを一貫して実習できることを特徴とする円柱型高機能歯髄模型。
【請求項２】
歯冠に義歯用人工歯を使用して、歯髄部は透明なエポキシ樹脂を使用することで、歯冠が歯根部より硬いという硬度差を再現したことを特徴とする円柱型高機能歯髄模型。
【請求項３】
歯髄部に透明エポキシ樹脂を使用して形状を円柱形とすることで、切削状況について、周囲３６０度のあらゆる方向からの観察を可能とした形状を特徴とする円柱型高機能歯髄模型。
【請求項４】
歯冠切削中に切削器具先端部が歯髄に達した際に、予め歯髄腔に満たしておいた模擬血液の出現や露出を再現した構造を特徴とする円柱型高機能歯髄模型。
【請求項５】
歯冠切削中に切削器具先端部が歯髄に達した際に、歯髄模型を作業スタンドに押し込んだ時の生理食塩水、または、人体と同程度の電気的導通特性を有す物質にかかる圧力が解放されることで、予め歯髄腔に満たしておいた模擬血液の出血を再現した構造を特徴とする円柱型高機能歯髄模型。
【請求項６】
歯髄腔に封入する模擬血液は、電気的根管長の測定までを一貫して実習するために、生理食塩水、または、人体と同程度の電気的導通特性を有す物質を用いることを特徴とする円柱型高機能歯髄模型。
【請求項７】
模擬血液を漏えいなく歯髄腔に満たし、使用時まで乾燥なく封入しておくために、デキストリン（多糖類）を増粘剤として添加することでゲル状とすることを特徴とする円柱型高機能歯髄模型。
【請求項８】
歯髄模型を作業スタンドに設置した状態において歯髄模型と作業スタンドの接続部は、生理食塩水、または、人体と同程度の電気的導通特性を有す物質で満され、電気的な導通状態とすることが必要であるが、歯髄模型を作業スタンドに設置する作業過程において、導通を阻害する空気の空間を発生させないために、内部にスポンジを設置して、生理食塩水、または、人体と同程度の電気的導通特性を有す物質を含有させて設置作業および実習に使用する構造を有す円柱型高機能歯髄模型。
【発明の詳細な説明】
【技術分野】
【０００１】  本発明は、歯科の実習教材において使用される模型で、歯冠の切削工程、抜髄、根管長の測定までを一貫して実習する事を可能とした歯髄模型に関するものである。
【背景技術】
【０００２】  従来の歯科の実習教材において使用される模型は、歯冠の切削工程、抜髄、根管長の測定をそれぞれの工程用の模型で実習している。【０００３】  従来の歯科の実習教材において使用される電気的根管長測定器を用いることが可能な模型は高価で、国内において市場は少ない。【０００４】  従来の歯科の実習教材において使用される歯髄模型は、透明樹脂製の角柱形状であり、角柱を構成する面以外の方向からの観察が困難という制限があった。
【発明の概要】
【発明が解決しようとする課題】
【０００５】  従来の歯科の実習教材において使用される模型は、歯冠の切削工程、抜髄、根管長の測定をそれぞれの工程用の模型で実習しており、一貫性がない。【０００６】  従来の歯科の実習教材において使用される電気的根管長測定器を用いることが可能な模型は高価であり、切削や抜髄の実習には適さない。【０００７】  天然歯の歯冠は、歯根部の象牙質と比較して硬いので、歯科実習模型についても歯冠と歯髄部の硬度差を再現することを課題としている。【０００８】  通常の歯髄模型は、透明樹脂製ではあるが形状は角柱であり、観察する方向が面方向からのみという制限があった。一貫した歯科治療実習のためには、切削状況が周囲３６０度のあらゆる方向から観察ができることが必要である。【０００９】  本発明品は、歯冠の切削工程、抜髄、根管長の測定までを一貫して実習訓練するためになされたものである。【００１０】  一貫した歯科治療のための教材において、電気的に根管長を測定しながら、歯髄の切削作業を進めるためには、模型内部の歯髄部は人体と同程度の電気的導通特性の物質や生理食塩水で満たした状態とする必要がある。また、それら生理食塩水などが漏えいしない構造とする必要がある。
【課題を解決するための手段】
【００１１】  本発明は、歯科の実習教材において使用される歯髄模型であり、歯冠の切削工程、抜髄、電気的根管長の測定までを一貫して実習が可能とする事を特徴とする。【００１２】  本発明は、歯科の実習教材において使用される歯髄模型は、専用の作業スタンドに差し込んで自立固定した状態で実習する。【００１３】  本発明は、歯冠に義歯用人工歯を利用して、歯髄部は透明なエポキシ樹脂を使用することで、歯冠と歯髄部の硬度差を再現している。【００１４】  また、歯髄部に透明エポキシ樹脂を使用したうえで、従来の角柱でなく、円柱形状とすることで切削状況があらゆる方向からの観察を可能とする。【００１５】  本発明は、生理食塩水が漏えいしない構造として、円柱形状の歯髄模型に、エラストマ樹脂やシリコン樹脂などゴム状の防水キャップをかぶせたうえで、作業スタンドに設置することで生理食塩水の漏えいの防止を実現している。【００１６】  本発明は、生理食塩水が漏えいしない構造として、円柱形状の歯髄模型に、ゴム状の接続部品を装着しそれを介して作業スタンドに設置するが、押し込んだことにより生理食塩水にかかる圧力を作業スタンドの内部にゴムシートを設けその弾力性を利用して圧力を保持した状態で実習作業を行う。【００１７】  本発明は、歯冠切削中にファイルなどの切削器具の先端部が歯髄に達した際に、歯髄模型内部の模擬血液が出血し、更にファイルなどの切削器具の先端が側枝端に達した時に、作業スタンドに押し込んだ時の生理食塩水にかかっている圧力が解放されることで、予め歯髄腔に満たしておいた模擬血液を押し出して出血を再現する。
本発明は、以上の構成からなる円柱型高機能歯髄模型である。
【発明の効果】
【００１８】  本発明は、歯科の実習や訓練において使用される歯髄模型で、歯冠の切削工程、洗浄工程、抜髄、電気的根管長の測定までを一貫して行えるために、歯科根管治療の一貫した実習を可能とした。【００１９】  また、実際の治療と同じ工程を連続して実習が行えるので、時間的に効率の良い実習が行える。【００２０】  さらに、実際の治療と同じ工程を連続して実習が行えるので、実際の治療において事故を減らし、より安全性の高い治療に役立つ。
【図面の簡単な説明】
【００２１】
【図１】本発明の全体図である。
【図２】本発明の模擬血液の充填位置である。
【図３】本発明の使用例である。
【図４】生理食塩水の圧力保持部である。
【発明を実施するための形態】
【００２２】  以下、図面を参照して本発明の実施の形態を説明する。
図１は、本発明品の円柱型高機能歯髄模型の全体図である。作業スタンド（１）に歯髄模型（２）を差し込み、自立固定した状態で使用する。
また、作業スタンド（１）には、リード線を取付けることが可能な電極（９）を有している。電極（９）には、根管長を測定する機器を接続する。
【００２３】  図２は、本発明品の円柱型高機能歯髄模型の円柱形状と模擬血液（５）の位置について示している。模擬血液（５）を歯髄腔に漏えいなく満たしておくために、基材である生理食塩水を赤色顔料、赤色染料、またはそれを含む着色料で着色した後に、デキストリン（多糖類）を増粘剤として添加しゲル状としている。義歯人工歯を用いた歯冠（３）を接着し、封入して模擬血液（５）の出血を再現した構造を示している。
また、歯冠（３）に義歯人工歯を、歯髄部は透明なエポキシ樹脂を使用することで、歯冠（３）と歯髄部の硬度差を再現しており、歯冠の切削工程から抜髄までの実習教材としては、図２単体で使用できることも説明している。
義歯人工歯を用いた歯冠（３）の切削工程で、ファイルなどの切削器具の先端部が歯髄腔を模した部分に達すると、模擬血液（５）が出血する。
【００２４】  図３は、本発明の標準的な使用例である。
歯科の実習教材として、歯冠（３）の切削工程、抜髄、根管の長さを電気的根管長測定器にて測定し、一貫した実習を行うことを可能とする。
【００２５】  図４は作業スタンド（１）の内部構造について示している。防水キャップ（４）の中に生理食塩水や人体と同程度の電気的導通特性を持つ物質を含ませたスポンジを詰め、歯髄模型（２）を装着した（Ａ）を作業スタンド１に設置する。あらかじめ充填部（６）に満たしておいた生理食塩水には、前述の（Ａ）を押し込んだ際に圧力が生ずる。そこで、圧力保持部（７）の弾力性を利用してその圧力を保持し、生理食塩水が漏れない構造としている。
圧力保持部（７）には、歯冠（３）切削中に切削先端部が歯髄に達した際に、圧力保時部（７）にかかる圧力が解放されることで、模擬血液（５）の出血を再現することが可能である。
また、電気的根管長測定までを一貫して実習するために、模擬血液（５）や充填部（６）に満たす物質は、生理食塩水を基材として人体と同程度の電気的導通特性をもたせることが重要である。
【産業上の利用可能性】
【００２６】  本発明の基盤技術は、医療業界で微細血管のカテーテル挿入訓練に応用の可能性がある。
【符号の説明】
【００２７】  （１）  作業スタンド
（２）  歯髄模型
（３）  歯冠
（４）  防水キャップ
（５）  模擬血液
（６）  生理食塩水（または人体と同程度の電気的導通特性を有す物質）
（７）  圧力保時部
（８）  ファイルなどの切削器具
（９）  電極
（１０）スポンジ
【図１】
2014239846.tif 000003
【図２】
2014239846.tif 000004
【図３】
2014239846.tif 000005
【図４】
2014239846.tif 000006